(57)【特許請求の範囲】
【請求項１】
褌布部の股間を覆う部分の幅が、身体の股間の幅より広く、かつ腹部を覆う前端部の幅と背面腰部を覆う後端部の幅より狭く、帯状の中央付近が括れた形の布部を特徴とし、かつ筒状内部に、左右対称に弾性帯を取り付けた腰紐を褌布部の前端左右と後端左右に取り付け、左右それぞれに前端と後端の腰紐を結んで装着することを特徴とした女性用褌。
【請求項２】
布部と腰紐の素材を絹としたことを特徴とした請求項１に記載の女性用褌。
【請求項３】
布部は、表地と裏地から成る袷であることを特徴とした請求項１
または請求項２のいずれかに記載の女性用褌。
【発明の詳細な説明】
【技術分野】
【０００１】
この発明は、長時間の着用と激しい動きにおいても、褌布部が中心や左右に偏ったり、陰部に過剰に密着せず、鼠頚部を締め付けず、着脱が非常に不便であった最大の難点を容易に出来るよう改善して、更に褌布部の絵柄を崩れず美しく表示し、全体を女性らしい美観で装着できる女性用褌である。
【背景技術】
【０００２】
日本の女性にとって、下半身に纏う下着であるパンツの歴史は浅い。平安時代を遡る古代より、日本女性には腰巻が愛用されてきた。明治の文明開化以降から、大正、昭和の初期と時代が進むにつれ西洋文化を奨励する時代背景のもとでさえ、日本の成人女性は洋装をすれどもパンツ型の下着・ズロースの着用を避けていた。理由は、腰巻に比べて陰部などに布が密着する点が不快であったからだ。通気性が劣り、腹部と背面を繋ぐ布地が着用者の股間に過剰に密着する不快感とズロースの端の開口部が太ももや鼠蹊部を締める不快感があったからである。しかし戦後の復興期から軽快な洋服が広まり、下着にパンツが普及した。パンツは、コンパクトな点が外装の美観を崩さず、風で裾がまくれあがっても陰部が覆われ安心できるからである。羞恥心を尊重した反面、不快感を黙認してきた。
【０００３】
その結果、腰巻を愛用していた時代の日本女性に比べて、現代女性の体の機能は衰えた。パンツの裾の開口部のゴム紐などが締める鼠頚部や太腿にはリンバ管や血管、東洋医学でいう経絡が通っており、それらを紐やゴムで締め付けることは、体内の循環を阻むことになり健康に悪影響を及ぼす。腰巻を使っていた時代の女性は、骨盤底筋を引き締めることで月経血をコントロールできたほど筋力が強かった。一方、現代女性は月経時、生理用ナプキンに依存するのが標準的となっている。他にも冷え性、肥満、便秘、生理不順・生理痛・不妊症・月経前不定愁訴などの婦人科系など体の不調、体力と気力の衰えは、パンツによる鼠蹊部の締め付けが一因と考えられる。
洋装の美観を崩さない、且つ体内の循環を阻まず、着脱が便利で、美しく爽快な下着が望まれている。
【０００４】
近年、古代から日本の男性が使用していた褌が見直されてきて、女性用としても普及している。通気性が良く、鼠頚部を圧迫せず爽快という理由である。
褌には主に２つの型がある。その１つの越中褌型は、腰紐とその中央からＴ字状に接合した帯状の布部から成る。体の背面腰部に褌の中心を当て中心から垂れ下がる帯状の布部を股ぐらを通し、腹部に当てた上から左右の腰紐を結び、残りの布の前端部を左右に張って垂らす。しかし、長時間の着用と激しい動きで正面に垂らした布が左右に偏ったり、前後に弛んで外れたりした。また、用便をたす時など着脱を繰り返す場合、布部の扱いが困難であった。先行技術として褌の前垂れと腰紐と身頃が縫製により一体成型として、ブリーフのように上げ下げができ、ずれない考案がなされた。（特許文献１参照）
【０００５】
しかし、前垂れの分だけ従来のパンツよりもボリュームが増えて、衣服の下に着用すると、シルエットに影響する。スリムな外観を望む女性たちには不向きである。
そこでもう一つの、もっこ褌型が注目され、製品として普及している。もっこ褌型とは、長方形の褌布部の前端と後端の折り返しの縫い代が腰紐を通せるようにチューブ状になっており、前端と後端を合わせて二つ折りにして、一本の腰紐の両端を布部の前端と後端のチューブ状の内部へ左右同じ側から挿入し、反対側に出た腰紐の両端を装着時、片側の脇で結ぶものである。こちらは、越中褌型と違い、前垂れ部の布が無いのでかさ張らない。しかし、腰紐が挿通する布部が中心に偏ったり、左右にずれるなどして着心地が悪い。そこで先行技術では、布部の後端の挿通させた腰紐を固定する考案がなされた。（非特許文献１参照）
しかし、一日に何度にも及ぶ用便を足す際など、脇で結んだ腰紐を解いて褌を下ろし、用便を済ませて再び腰紐を結ぶことを繰り返さねばならず、非常に面倒である。しかも、布部前端のチューブ状の挿通部の中に腰紐の先端が潜り込んだり、抜け出てしまった場合は、修復することが困難である。
また、後端は腰紐が固定されているが、腰紐を固定していない前端は、布部が中心に偏ったり左右にずれたりして不快である。
また、布部が長方形で布幅が一定であるため、覆われる体の部位によって、布の幅への過不足感が生ずる。
更に、布部の後端左右は、腰紐に対して直角を形成して臀部を覆うので、見た目が粗野であり、女性用の下着に不向きである。
【先行技術文献】
【特許文献】
【０００６】
【特許文献１】実用新案登録第３１４２３０９号  公報
【非特許文献】
【０００７】
【非特許文献１】実用新案登録第３０１４６５８号  公報
【発明の概要】
【発明が解決しようとする課題】
【０００８】
先行技術により改善されたとはいえ、越中褌型では、前垂れ部分がかさ張り、表面の洋服のシルエットに影響を及ぼすので、爽快であっても外出時に着用できない。一方、前垂れ部分の無いもっこ褌型としては、従来の技術においては、用便を足す前後に、脇で結んだ腰紐をほどいては結ぶことを繰り返して褌を上げ下げしないといけないので、非常に面倒である。
【０００９】
先行技術（非特許文献１参照）では、腰紐が挿通する褌布部の前端は固定されていないため、着用者の動きによって、中心に布部が偏ったり左右にずれたりして着け心地が悪くなる。同時に表面の絵柄の見栄えが悪くなる。
【００１０】
また、褌布部の前端の挿通部と後端の紐縫着部のそれぞれの内側に腰紐が存在するので、接触する腹部と背面腰部の肌が、かさ張りを感じて、着心地が悪くなる。
【００１１】
用便のために褌を下げる時、ほどいた腰紐の先が挿通部の前端のチューブ状の中に陥没したり、誤って挿通部から腰紐が抜けてしまうと、専用の道具が無いと挿通できない。外出先のトイレなどで、こういう状況に陥ると修復が困難である。
【００１２】
褌布部の腹部、背面腰部、股間のすべて布幅が同じであると覆われる部位によって、過不足を感じて着心地が悪くなる。また、腰紐と後端左右が直角を形成して臀部を覆うので、見た目が粗野であり、女性用下着に不向きである。
【００１３】
本発明は、上記した従来の褌の課題の解決に加え、一般的なパンツの課題である陰部への過剰な密着と鼠頚部の圧迫を解決し、体内の循環を促して美容と健康に良い点から、古来より日本女性に愛された腰巻の解放感を蘇らせ、体内の循環を改善する技術である。
【課題を解決するための手段】
【００１４】
第１発明は、筒状内部に、左右対称に弾性帯を取り付けた腰紐を褌布部の前端左右と後端左右に取り付け、左右それぞれに前端と後端の腰紐を結んで装着することを特徴とした女性用褌。
【００１５】
第２発明は、褌布部の股間を覆う部分の幅が、身体の股間の幅より広く、かつ腹部を覆う前端の幅と背面腰部を覆う後端の幅より狭く、帯状の中央付近が括れた形の布部を特徴とした第１発明に記載した女性用褌。
【００１６】
第３発明は、布部と腰紐の素材を絹としたことを特徴とした第１発明または第２発明に記載した女性用褌。
【００１７】
第４発明は、褌布部は、表地と裏地から成る袷であることを特徴とした第１発明から第３発明のいずれかに記載した女性用褌。
【発明の効果】
【００１８】
第１発明によれば、以下に述べる利点がある。
１  最適なサイズに結んだ腰紐を解かずに、褌を簡単に着脱できる。
２  先行技術のように腰紐の挿通部が無く、腰紐先端を見失うトラブルが無い。
３  弾性帯が直接肌に触れず、快適である。
４  褌布部が常に左右に張られ、中心がずれず、平らで偏らない状態を保つ。
５  布部の前端と後端の内部に腰紐が存在せず、軽量で軽快である。
６  褌布部の表地の絵柄を全体にわたり、美しく表示できる。
７  足が長く見える。
【００１９】
第２発明によれば、以下に述べる利点がある。
１  鼠頚部を締め付けず、圧迫感がない。
２  腹部と背面腰部が安定した布部の幅で覆われる。
３  股間を覆う布幅が身体の股間の幅より広いので布幅が余り、布の畝が生じて陰部を覆うので、過剰に密着しない。通気性があり、解放感が高まる。
４  褌布部の前端左右と後端左右が、股間の布幅に向かって括れているため、腰紐と布部の前端左右と後端左右が形成する角度は、直角よりも小さい角度であり、女性の腹部と臀部を覆うのに、粗野な違和感が無くなる。
５  陰部に過剰な密着や食い込みを回避するので、体内の循環を促し、美容と健康によい。
【００２０】
第３発明によれば、以下に述べる利点がある。
１  絹の繊維が持つ抗菌性、防臭性、保湿性、透湿性、保温性などの優れている特性から、健康に悪影響を及ぼす物質が、陰部の粘膜から体内へ侵入するのを防ぎ、健康を守る。
２  絹の持つ肌触りのよい特性から、接触する皮膚の毛細血管を刺激し、体内の循環を良くして、美容と健康によい。
３  弾性帯が取り付けてある部分においても、筒状の絹の布で弾性帯を覆うので、肌と弾性帯の間で快適な湿度を保つことができる。
【００２１】
第４発明によれば、以下に述べる利点がある。
１  表地に腰紐と同じ布を使うことができるので、統一感があり美観が高まる。
２  第２発明の布幅の効果により、布の畝が適度に生ずるのみで、絵柄が崩れず、美しい色柄の布を表地に使うことができるので、美観が高まる。
３  第３発明の効果により、しなやかに布が垂れる絹の特性に加え、２枚分の布部の重みによっても、布が下に垂れるため、布が反り返って陰部へ過剰に密着することを更に防ぐ。
４  袷であることから、体内からの分泌物を裏地で吸収して、表地に滲出することを防ぐ。
【図面の簡単な説明】
【００２２】
【図１】この発明の一実施形態を示す展開図である。
【図２】この発明の腰紐後左の作成図である。
【図３】この発明の弾性帯を内蔵した腰紐後左の透視図である。
【図４】この発明の前斜視図である。
【図５】この発明の後斜視図である。
【図６】この発明の着用時の前参考図である。
【図７】この発明の着用時の後参考図である。
【図８】この発明の右側面図である。
【図９】この発明の上面図である。
【図１０】この発明の底面図である。
【発明を実施するための形態】
【００２３】
鼠頚部を締めつけず、陰部に布地が密着せず、通気性が良く、腰巻の解放感を実現し、且つパンツの便利さと衛生機能を兼ね備えた技術である。
「他の実施形態」
１  裏地素材は、絹の羽二重を草木染めしたものを用いてもよい。
２  弾性帯は、前紐の内部に取り付けてもよい。
３  弾性帯の幅や長さ、布部前端と後端、股間付近の幅は、実施例の寸法に限定しない。
４  褌布部の裏地と表地は同じ布を使ってもよい。
【００２４】
以下に、本発明の一実施例を図に基づいて詳細に説明する。本発明の範囲は、下記実施例に限定されない。
図１ は褌の展開図である。
図１において１は褌全体を示す。
２Ａ、２Ｂ、２Ｃ、２Ｄの４つの角から成る図形２−１は褌布部の表地を示す。
２Ａと２Ｂを結ぶ線は褌布部の前端であり、装着した時、身体腹部を覆う。
２Ｃと２Ｄを結ぶ線は褌布部の後端であり、装着した時、身体背面腰部を覆う。
２Ａと２Ｃを結ぶ曲線は身体の左鼠蹊部を覆う。２Ｂと２Ｄを結ぶ曲線は身体の右鼠蹊部を覆う。
２Ｅと２Ｆの間は、股間付近を覆う部分である。
３ａは腰紐前左を示す。３ｂは腰紐前右を示す。４ａは腰紐後左を示す。４ｂは腰紐後右を表す。
【００２５】
図２は腰紐後左（４a）の作成図である。腰紐後右（４ｂ）は、これの左右対称とする。
図２において、４ａは表に、ひっくり返す前の状態の腰紐後左を示す。中表に二つ折りにした細長い腰紐用の布を裁ち目の内側に沿って、片側を空けたＬ字型に縫い、縫い代（４Ｄ）の褌布部へ取付ける根元側の端（４Ｃ）に弾性帯（５）の片端（５Ｂ）を取付け、その位置から弾性帯のもう片方の端（５Ａ）を弾性帯の伸長時の寸法だけ離れた縫い代に取付ける。これを表にひっくり返したのが、図３の腰紐後左（４ａ）の全体の透視図である。
【００２６】
図３は、弾性帯を内蔵した腰紐後左（４ａ）の透視図である。腰紐後右（４ｂ）は、これの左右対称とする。
図３において、４ａは、腰紐後左を示す。筒状内部に弾性帯が取り付けられていない平らな部分（４Ａ〜４Ｂ）と筒状内部の縫い代（４Ｄ）に弾性帯（５）が取り付けられた伸縮部分（４Ｂ〜４Ｃ）から成る。
日本工業規格における標準サイズの女性を着用対象者とした場合、本発明は、パンツの着脱時に必要な伸長寸法は約１８ｃｍとし、この寸法を二つに分けると約９ｃｍであり、７ｍｍ幅の弾性帯では、長さ９ｃｍで、左右２本を取り付けて、着脱に必要な伸長ができる。この長さ９ｃｍの弾性帯を腰紐後左と腰紐後右の内部にそれぞれ一本ずつ取り付ける。
本発明は、弾性帯の長さを着脱の際に必要な伸長の最小限にとどめ、軽量化と軽快感を改善した。また、筒状内部の縫い代に取り付けることによって、表面に縫い目が現れず、美観を良くした。
図３で示した構造の腰紐後左右を取り付けた褌全体を示した図１において、２Ａと２Ｂの間の寸法は、日本工業規格における標準サイズの女性を着用対象者とした場合、腹部を安定して覆い、且つ足が長く見える効果を兼ね、本発明は、２０ｃｍ〜３０ｃｍ」前後とする。２Ｃと２Ｄの間の寸法は、背面腰部を安定して覆い、見た目のバランスの良さを兼ね、同じく標準サイズの女性を着用対象者とした場合、２５ｃｍ〜３７ｃｍ前後とする。２Ｅと２Ｆを結ぶ幅は、身体の股間の幅の２倍〜２．５倍前後の寸法とする。褌布部の４つの角（２Ａ・２Ｂ・２Ｃ・２Ｄ）の角度は９０度未満で、布部は、帯状の股間部にあたる中央付近（２Ｅと２Ｆ）が、括れる形となる。
【００２７】
図４は褌を着用した時の前から見た斜視図である。２−１の褌布部表地に対して、２−２は表裏に縫い合わせた褌布部裏地を表す。
本発明の着用の仕方は、図１における腰紐前左（３ａ）と腰紐後左（４ａ）の平らな部分（４Ａ〜４Ｂ）を身体のサイズにあわせて結ぶ。右側も同じく腰紐前右（３ｂ）と腰紐後右（４ｂ）の平らな部分（４Ａ〜４Ｂ）を身体のサイズにあわせて結ぶ。装着する前に、左右のどちらかの腰紐をあらかじめ適当なサイズに結んでおき、装着したら、もう一方の腰紐を身体のサイズに合わせて結ぶと、装着が簡単にでき、体調によって変動する身体のサイズにも繊細に対応できる。
本発明は、腰紐後左（４ａ）と腰紐後右（４ｂ）の伸縮部分（４Ｂ〜４Ｃ）により、褌の着脱に結び目を解く必要がなくなる。一度、最適なサイズに腰紐を結んだら、普通のパンツと同じように着脱が出来て、便利である。
また、先行技術（非特許文献１）のように、腰紐の先が挿通部の前端のチューブ状の中に陥没したり、誤って挿通部から腰紐が抜けてしまったら、修復が非常に困難であるが、この発明では、そのような状況は起こらないので安心して使用できる。
【００２８】
本発明の女性用褌は、腰紐後左（４ａ）と腰紐後右（４ｂ）のそれぞれの伸縮部分（４Ｂ〜４Ｃ）が褌の上げ下げの時のみ伸長するので、通常の装着時は、内部の弾性帯が縮んだ状態に対して、図３の４Ｂ〜４Ｃが示すように表面の腰紐の布は蛇腹状の襞が連なる。したがって弾性帯が肌に密着することなく布の襞によって通気性が保たれる。腰紐の布の素材は絹であってもよいので、絹の透湿性により肌触りが良く、むれない。
【００２９】
本発明は、均等に左右脇へ褌布部を引っ張るので、激しい動きのもとでも布部の中心が左右にずれない。また、腹部を覆う前端部（２Ａ〜２Ｂ）と背面腰部を覆う後端部（２Ｃ〜２Ｄ）の内部には、腰紐も弾性帯も内蔵されていないので、厚みが薄く、常に平らで偏らないので、表地の柄が崩れず美しく表示できる。軽快感が増し、着心地と見栄えが良く、先行技術（非特許文献１）の問題点を解決することができた。
【００３０】
図６は、着用時の前から見た図である。
両脇の紐が腰骨の位置で胴体と脚の区分けをするように見えるので、前垂れ部で鼠頚部を隠す褌や、中心が左右に偏る褌よりも脚が長く美しく見える。
図７は着用時の後から見た図である。
図６と図７で示すように、腰紐と褌布部前端左右と後端左右が形成する角度が直角より小さな角度となるので、全体的な見た目のバランスが良く、もともと男性用である褌の概念を覆し、女性の身体のフォルムと美しく調和する。更に、左右対称に結んだ蝶結びがデザイン性を高める。男性用の下着として生まれた褌なので、女性にとっては粗野になるという先行技術の大きな課題を解決した。
【００３１】
本発明で、褌布部の前端部と後端部は、身体を安定して覆う布幅に定め、両脇へ向かって引っ張られるので、安定した身体を覆う布の幅が保たれるので、保温性を求める年配層など、幅広い年代層の女性が安心して着用できる。
【００３２】
図６と図７で示し、前述したように本発明の女性用褌は、股間の布幅（２Ｅ〜２Ｆ）は身体の股間の幅より広い寸法を用いるので、布部の長さに平行して布の畝が生じて、陰部を覆い、陰部と褌布部の間に適度な空間を作り出し、密着しない。従来のように褌布部が長方形であれば、股間で過剰な褌布部の畝が生じて、かさばってしまい着心地が悪くなる。また、長方形では、布部の前端と後端の幅が、覆う腹部と背面腰部に対して、狭く、安定感が低く、好ましくない過激な印象になる場合がある。
更に、一般的な従来のパンツのように、２Ｅ〜２Ｆの示す幅が、身体の股間の幅とほぼ同じか、それより狭いものにおいては、陰部に過剰に密着し、激しい動きによって陰部の中心に喰いこんだり、片側に偏ったりして着心地が悪い。
それを快適な状態に修復するには、人目を遮る空間が必要であるが、それを得られない場合、長時間の苦痛を強いられる。
本発明は、従来の褌のように股間において、過剰にかさばるという課題を解決し、従来のパンツの課題である陰部に過剰に密着する課題を解決した。
【００３３】
本発明で、素材には裏布に絹の羽二重を用いることができる。表布には絹の美しい色柄の布地で、着物や長襦袢用の反物など、柔らかく垂れる性質の織物とすることができる。このため、布自身の重みで垂れ下がり、股間の適度な空間を作り出す畝は下側に垂れて、上側に反り返らないため、陰部に密着しない効果が増すという腰巻の解放感を再現した。
【００３４】
以上のように、本発明は、従来の褌特有の鼠頚部を締め付けず解放感があるという性質を活かし、便利さと美観に欠けるという褌の問題点を解決したのである。
【実施例】
【００３５】
実施例による褌と、先行技術（非特許文献１）の褌を比較例として、以下のように縫製した。
１  腰紐
実施例  ３ａと３ｂは長さ２３ｃｍ。４ａと４ｂは２３ｃｍの平面部と９ｃｍの弾性帯を内蔵する１５センチの伸縮部から成る。
比較例  長さ１２０ｃｍのうち、後端から２２ｃｍを外に出し、後端部の内部に挿通させて縫って固定し、残りの紐を前端の縫い代によるループに挿通し、先端を後端から出る２２ｃｍと結ぶ。
２  布部の幅
実施例  ２Ａ〜２Ｂは２７ｃｍ、２Ｃ〜２Ｄは３５ｃｍ、２Ｅ〜２Ｆは１８ｃｍ
比較例  ２５ｃｍ
３  布部の長さ  実施例と比較例共に６０ｃｍ
４  素材は共に絹
５  実施例は袷、比較例は単。
以上の実施例と比較例の褌を５人のパネラー（２０〜６０代女性、９号〜１１号サイズの洋服着用者）で着用試験を実施し、日常の動きの中で、以下の項目について比較実験をした。
１  着脱の容易度
２  前面の安定感（布が中心に偏らないか、左右にずれないか）
３  前端と後端の軽快感（内部の腰紐の有無による肌ざわり）
４  前面と後面の絵柄表示満足度（布部の絵柄が美しく表示されるか）
５  前面の美的外観  （前面の全体的なフォルム）
６  後面の安定感、（布が中心に偏らないか、左右にずれないか）
７  後面の美的外観（後面の全体的なフォルム）
８  総合評価
−３〜３までの７段階評定法で評価し、その平均値を表１に示した。なお、数字が大きい方が優秀であることを示す。
【００３６】
【表１】
0005416300.tif 000002
【００３７】
着用試験の結果、着脱の容易度では、５．８点の大差で実施例が優れていると出た。比較例の結んだ紐をほどく動作が面倒であるという感想が多い。特に用便を足す際、紐を解く時間をもどかしく感じた。急な便意の時に困る。という意見がある。また紐が長いので、紐の端を清潔に保持するのに慎重に注意をはらうため手間取った。
それに対して、実施例は、その手間がすべて不要であるので評価が高い。
【００３８】
前面の安定感は、５．８点の大差で実施例が優れていると出た。比較例では、日常の動きでさえ、前面の中心の狭い幅に布が密集してしまい、肌の露出が多くなり、安定感が低かった。
それに対して、実施例では、均等に左右へ布部が引張られるので安定して腹部を覆うことができ、絹布の保温性と肌触りを肌の広い部分で堪能できるため評価が高かった。
【００３９】
前端と後端の軽快感は、１点の差で実施例が優れていると出た。比較例も素材が絹なので、肌へ接触する風合いが柔らかく、軽快感の差は僅かであった。
【００４０】
絵柄表示満足度は、５．８点の大差で実施例が優れていると出た。比較例の布部の前端が中心に集中することに加え、股間の布幅が広いため、前端と股間、または後端と股間を結ぶ細かい縦皺が多く生じて、絵柄の表示が崩れ、満足度が低くなった。
それに対して実施例は、前端も後端も平らで、股間の布幅によって生じる布の畝が調整されているので、絵柄が美しく表示されて満足度が高い。
【００４１】
前面の美的外観は、５．８点の大差で実施例が優れていると出た。比較例では、前端の布が中心に密集して、臍の下から股間まで狭い幅でしか腹部が覆われないので、男性が古来より使用する褌そのものを連想するという感想や、鼠頚部が広く露出するので更衣室などで人に見られたら恥ずかしいという感想が出た。それに対して実施例は、前端が腹部を左右に平らに覆い、股間に生ずる布の畝が限られ、絵柄が美しく表示され、腰紐と布部端左右の形成する角度が普通のパンツと比べて違和感が無いという感想が出た。又、布部の両脇で蝶結びできるので、デザイン的に可愛い、セクシーであると称賛の感想が多く、評
価が高かった。
【００４２】
後面の安定感は、５．２点の大差で実施例が優れていると出た。比較例では、布部後端は紐が固定されているが、激しい動きによって、前端の中心のずれが、股間部の布に伝わり、布が偏った股間部と固定された後端の間を覆う布部が左右対称でなくなる。そのため、はき心地が悪いとの感想が出た。
それに対して実施例は、激しい動きでも、布部が左右対称に腰を覆い、肌の広い範囲で絹の保温性や感触を楽しめると評価が高い。
【００４３】
後面の美的外観は、５．８点の大差で実施例が優れていると出た。比較例では、背面腰部で腰紐と布部後端左右が、直角を形成し、股間部では多くの皺がよるので、ファッション性に欠けるとの感想が出た。更衣室、旅先の温泉などで、絶対に人に見られたくないと言う感想や、大人用オムツを連想するという感想も出た。
それに対して実施例は、腰紐と布部の後端左右の作る角度は９０度よりも小さい角度で、股間部に生じる布の畝が少ないので、普通のパンツと比較して違和感がないと評価が高い。
【００４４】
着用実験の結果を総合すると、５点という大差で実施例が優れていると出た。
比較例では、着脱に手間がかかり、布が前中心に偏り、後姿が粗野で、全体的に見栄えと着心地が悪い。
それに対して実施例は、着脱が簡単で、前後とも平らに左右対称に安定して身体を覆い、布の色柄のデザインと両脇の蝶結びが可愛く、便利さと見栄えと着心地という先行技術の大きな問題をすべて解決できた。それに留まらず、更にデザイン性が飛躍した。
【産業上の利用可能性】
【００４５】
古代から日本女性が愛用した下着である腰巻の解放感を現代に復活させ、現代の生活に適合したパンツの利便性と衛生的機能を加え、且つ装着時の美観を改善した画期的な技術である。体内の血液やリンパ液の流れを遮らず、体調改善の期待がされるので、一般的な肌着にとどまらず、医療と健康と美容の産業においても活用できる。
【符号の説明】
【００４６】
１        褌
２−１    褌布部表地
２−２    褌布部裏地
２Ａ      褌布部前左端
２Ｂ      褌布部前右端
２Ｃ      褌布部後左端
２Ｄ      褌布部後右端
２Ｅ      褌布部股左
２Ｆ      褌布部股右
３ａ      腰紐前左
３ｂ      腰紐前右
４ａ      腰紐後左
４ｂ      腰紐後右
４Ａ      腰紐後左と腰紐後右の先端
４Ｂ      腰紐後左と腰紐後右の平部と伸縮部の境目
４Ｃ      腰紐後左と腰紐後右の根元端
４Ｄ      腰紐後左と腰紐後右の内部の縫い代
５        弾性帯
５Ａ      弾性帯の縫い代の取付部分
５Ｂ      弾性帯の縫い代の根元側取付部分
【要約】
【課題】日本女性は古来より腰巻を愛用し、下着の西洋化の波に抗っていた。理由は、陰部に密着し鼠頚部を締める点が不快であること。しかし、戦後の軽装化で不快感を我慢してパンツを取り入れたため、体内の循環機能が衰えた。パンツにない解放感から褌が見直されているが、前垂れ部がかさ張る、腰紐を解いての着脱が手間取る、布部が偏るなどパンツより不便で外出に不向きである。
【解決手段】褌布部後端の左端と右端に、内部に弾性帯を取り付けた腰紐後左と腰紐後右をそれぞれ取付け、布部前端の左端と右端にそれぞれ腰紐前左と腰紐前右を取付けて、装着時は左右の脇で腰紐前と腰紐後を体のサイズに合わせて結ぶ。布部は、前端と後端より股間を覆う部分の幅が狭く、かつ身体の股間より広い帯状の中央部が括れた形とする。布部がずれず、上げ下げが便利になり、陰部への密着を防ぎ、便利で快適で見た目が良くなる。
【選択図】図４【図１】
0005416300.tif 000003
【図２】
0005416300.tif 000004
【図３】
0005416300.tif 000005
【図４】
0005416300.tif 000006
【図５】
0005416300.tif 000007
【図６】
0005416300.tif 000008
【図７】
0005416300.tif 000009
【図８】
0005416300.tif 000010
【図９】
0005416300.tif 000011
【図１０】
0005416300.tif 000012